(57)【特許請求の範囲】
【請求項１】
整流して得られる直流電圧を一次側のスイッチング素子でオン／オフすることにより、コンバータトランスの二次側回路に電圧を安定供給する負帰還電圧制御系と他の非電圧制御系とからなる多出力のスイッチング電源装置において、
非電圧制御系の出力側と接地側とを抵抗と定電圧ダイオードとで直列接続し、
前記負帰還電圧制御系の負荷が大きい動作時に、前記非電圧制御系の入力電圧が前記定電圧ダイオードのツェナー電圧値を超えた時点で前記非電圧制御系の出力電圧の上昇を抑制する一方、
前記負帰還電圧制御系の負荷が小さい待機時に、前記非電圧制御系の入力電圧が前記定電圧ダイオードのツェナー電圧値以下になると、前記抵抗および前記定電圧ダイオードにおける電力損失をゼロにすることを特徴とするスイッチング電源装置。
【発明の詳細な説明】
【０００１】
【発明の属する技術分野】
本発明は、多出力のスイッチング電源装置に関するものであり、電圧制御系の電流変動に対して、非電圧制御系の電圧の安定化を図り、かつ待機時の消費電力を低減することができるスイッチング電源装置に関するものである。
【０００２】
【従来の技術】
この種の電源装置として、図２のものが提案されている。
電圧制御系の出力側では、出力巻線Ｐ２で得られる電圧を整流・平滑後、分圧抵抗で分圧された電圧に基づき制御回路でスイッチング素子Ｑ１を制御して安定化した出力電圧Ｖ１を得ている。また、非電圧制御系の出力側では、出力巻線Ｐ３で得られる電圧を整流・平滑した電圧Ｖ２を定電圧回路ＩＣ１に入力して安定化した出力電圧Ｖ３を得ている。しかし、電圧制御系の負荷は、動作時に大きく、待機時に小さくなるため、動作時／待機時に関係なく入力電圧Ｖ２が定電圧回路ＩＣ１に入力される非電圧制御系では、定電圧回路ＩＣ１から接地端子へと回路電流が流れ、待機時に電力損失が発生するという問題を有していた。
【０００３】
【発明が解決しようとする課題】
このように、従来の定電圧回路ＩＣ１を用いる手段では、回路電流Ｉ２による電力損失が発生し、待機時の消費電力が増大するという問題があったため、多出力のスイッチング電源装置において、定電圧回路ＩＣ１を使用することなく出力を安定化させることができ、かつ待機時の電力損失の少ないスイッチング電源装置が要求されていた。
【０００４】
【課題を解決するための手段】
本発明は、上記の課題を解決するもので、図１のように非電圧制御系の出力側と接地側との間に直列接続された抵抗と定電圧ダイオードにより、非電圧制御系の入力電圧Ｖ２の上昇を抑え、待機時には抵抗Ｒ３、定電圧ダイオードＤ３による損失をゼロにするスイッチング電源装置を提供するものである。
【０００５】
すなわち、整流して得られる直流電圧を一次側のスイッチング素子Ｑ１でオン／オフすることにより、コンバータトランスＴの二次側回路に電圧を安定供給する負帰還電圧制御系と他の非電圧制御系とからなる多出力のスイッチング電源装置において、非電圧制御系の出力側と接地側とを抵抗Ｒ３と定電圧ダイオードＤ３とで直列接続し、負帰還電圧制御系の負荷が大きい動作時に、非電圧制御系の入力電圧が定電圧ダイオードＤ３のツェナー電圧値を超えた時点で非電圧制御系の出力電圧の上昇を抑制する一方、負帰還電圧制御系の負荷が小さい待機時に、非電圧制御系の入力電圧が定電圧ダイオードＤ３のツェナー電圧値以下になると、抵抗Ｒ３および定電圧ダイオードＤ３における電力損失をゼロにすることを特徴とするスイッチング電源装置である。
【０００６】
【発明の実施の形態】
以下、本発明について、図面を参照しながら詳細に説明する。図１は、本発明による非電圧制御系の出力段に抵抗Ｒ３と定電圧ダイオードＤ３とを直列接続した多出力のスイッチング電源装置の一例である。
Ｅｉｎは入力電源、Ｑ１はスイッチング素子、Ｔは一次側に蓄積されたエネルギーを二次側へと伝達するためのコンバータトランス、Ｐ１は一次主巻線、Ｐ２は電圧制御系用の出力巻線、Ｐ３は非電圧制御系用の出力巻線、Ｖ１は電圧制御系の出力電圧、Ｖ２は非電圧制御系の入力電圧、Ｖ３は非電圧制御系の出力電圧、Ｒ３は抵抗、Ｄ３は定電圧ダイオードである。
抵抗Ｒ３と定電圧ダイオードＤ３とを直列接続したものを非電圧制御系出力段に入れたことが、従来の多出力のスイッチング電源装置と異なる点であり、この構成のスイッチング電源装置により、非電圧制御系の出力電圧の安定化を図るとともに待機時の電力損失を少なくすることができる。すなわち、非電圧制御系の入力電圧Ｖ２は、図３に示すように動作時の制御系出力電流Ｉ１の増大に比例して上昇するが、定電圧ダイオードＤ３のツェナー電圧値を超えた時点で回路電流Ｉ３が流れ、非電圧制御系の出力電圧Ｖ３の上昇が抑えられる。また、待機時は、電圧制御系出力電流Ｉ１の減少に比例して入力電圧Ｖ２が降下し、定電圧ダイオードＤ３のツェナー電圧以下になると、図４に示すように回路電流Ｉ３が流れなくなり、抵抗Ｒ３、および定電圧ダイオードＤ３での電力損失がゼロとなる。
ところが、従来例では、図３の点線で示したとおり、動作時において、定電圧ダイオードＤ３のツェナー電圧を超えた時、非電圧制御系の出力電圧Ｖ３の上昇が抑えられることがなく、また、図４の点線で示したとおり、待機時において、ツェナー電圧以下となった時も回路電流Ｉ３が流れているので、電力損失を抑えることができない。
【０００７】
図３は、抵抗Ｒ３と定電圧ダイオードＤ３とが接続された実施例と、抵抗Ｒ３と定電圧ダイオードではなく、定電圧回路ＩＣ１を接続した従来例の制御系出力電流Ｉ１に対する非電圧制御系電圧Ｖ３との関係を示し、図４は非電圧制御系電圧Ｖ３に対する回路電流Ｉ３の関係を示す。
図３、図４から分かるように、非電圧制御系電圧Ｖ３がＤ３のツェナー電圧を超えた時点で電圧上昇が抑えられ、また待機時には、回路電流Ｉ３がゼロとなり、回路電流による損失をなくすことができる。
【０００８】
【発明の効果】
上記のように、非制御系の出力段に抵抗Ｒ３と定電圧ダイオードＤ３とを直列接続することにより、非制御系の電圧を安定させるとともに、待機時には回路電流をゼロにすることができ、待機時の消費電力を低減できる多出力のスイッチング電源装置を提供することができる。
【図面の簡単な説明】
【図１】本発明によるスイッチング電源装置の実施例を示した回路図である。
【図２】従来のスイッチング電源装置の回路図である。
【図３】図１の実施例による回路と、図２の従来例による回路との制御系出力電流Ｉ１に対する非電圧制御系電圧Ｖ３の特性比較図である。
【図４】図１の実施例による回路の非電圧制御系電圧Ｖ３に対する回路電流Ｉ３の特性図である。
【符号の説明】
Ｅｉｎ  入力電源
Ｑ１  スイッチング素子
Ｔ    コンバータトランス
Ｐ１  １次主巻線
Ｐ２  電圧制御系用の出力巻線
Ｐ３  非電圧制御系用の出力巻線
ＩＣ１  定電圧回路
Ｖ１  電圧制御系の出力電圧
Ｖ２  非電圧制御系の入力電圧
Ｖ３  非電圧制御系の出力電圧
Ｉ１  電圧制御系の出力電流
Ｃ２，Ｃ３  コンデンサ
Ｒ１，Ｒ２  抵抗
Ｒ３  抵抗（ダミー抵抗）
Ｄ１，Ｄ２  ダイオード
Ｄ３  定電圧ダイオード
Ｉ２  ＩＣ１の回路電流
Ｉ３  Ｒ３およびＤ３の回路電流（ダミー電流）
【図１】
0004637413.tif 000002
【図２】
0004637413.tif 000003
【図３】
0004637413.tif 000004
【図４】
0004637413.tif 000005